【事件の表示】
　特願２０１７−　３５６２２号「遊技機」拒絶査定不服審判事件〔平成３０年　９月１３日出願公開、特開２０１８−１３９８０１号〕について、次のとおり審決する。
【結　論】
　本件審判の請求は、成り立たない。
【理　由】
第１　手続きの経緯
　本願は、平成２９年２月２８日の出願であって、同年４月２８日付けで拒絶の理由が通知され、同年７月６日に意見書及び手続補正書が提出されたところ、同年７月１４日付け（発送日：同年７月２５日）で拒絶査定がなされ、それに対して、同年１０月２４日に拒絶査定不服審判の請求がなされると同時に手続補正がなされ、これに対し、当審において、平成３０年６月２６日付けで拒絶の理由が通知され、同年８月３０日に意見書及び手続補正書が提出されたものである。
第２　本願請求項１に係る発明 
　平成３０年８月３０日付け手続補正は、特許請求の範囲を補正する内容を含んでおり、当該補正後の特許請求の範囲の請求項１に係る発明は次のとおりのものである（以下「本願発明」という。Ａ〜Ｆは分説のため当審にて付与した。）。 
「Ａ　遊技盤に形成された遊技領域に向けて遊技球を発射することによって、遊技を行う遊技機において、
Ｂ　前記遊技領域には、
Ｂ１　　前記遊技領域を流下する前記遊技球が入球可能な複数の入球口と、
Ｂ２　　前記入球口の上流側に立設されて、前記遊技領域を流下する前記遊技球が衝突することによって、前記遊技球の進行方向を変更する複数の障害釘と
　　が設けられており、
Ｃ　前記複数の障害釘の一部は、前記遊技球が通過し得ない間隔で列状に立設されることによって障害釘列を複数形成すると共に、少なくとも１つの前記障害釘列には、少なくとも一箇所に前記遊技球が通過し得る隙間が形成されており、
Ｄ　前記遊技球が通過し得る隙間を有する前記障害釘列の下側には、前記遊技盤の盤面からの高さが前記障害釘の頂部の高さの位置に、前記障害釘列の下側を保護する前板が設けられており、
Ｅ　前記前板は、前記障害釘列の前記障害釘とは離間させた状態で設けられていると共に、前記前板からは、前記障害釘列の前記隙間を形成する２本の前記障害釘の頂部の間の位置まで、突片が延設されている
Ｆ　ことを特徴とする遊技機。」
第３　当審の平成３０年６月２６日付け拒絶理由の概要 
　当審の平成３０年６月２６日付け拒絶理由の概要は以下のとおりである。
１）本件出願の請求項１に係る発明は、その出願前日本国内または外国において頒布された下記の刊行物１に記載された発明であるから、特許法第２９条第１項第３号に該当し、特許を受けることができない。
２）本件出願の請求項１〜３に係る発明は、その出願前日本国内または外国において頒布された下記の刊行物に記載された発明に基いて、その出願前にその発明の属する技術の分野における通常の知識を有する者が容易に発明をすることができたものであるから、特許法第２９条第２項の規定により特許を受けることができない。
　　　　　　　　　　　引　用　文　献　等　一　覧
１．特開２０１５−４７３５２号公報
２．特開２０１２−２００７６号公報
３．特開２００８−１８８２５９号公報（周知技術を示す文献）
４．実願昭６０−１９０６６１号（実開昭６２−９９２８３号）のマイクロフィルム（周知技術を示す文献）
５．特開２０１３−３１５８３号公報（周知技術を示す文献）
第４　引用文献に記載された事項 
１　引用文献１の記載
（１）　当審の平成３０年６月２６日付け拒絶理由において上記第３で示したとおり提示され、本願の出願前に頒布された刊行物である特開２０１５−４７３５２号公報（以下「引用文献１」という。）には、図面とともに以下の事項が記載されている（下線は当審で付した。）。
ア　「【０００７】
…
【発明が解決しようとする課題】
…
【００１３】
　従って、従来の非開閉式の入賞手段又は釘調整方式では、
命釘の根元側が正規の適正な間隔であることが前提であり、その根元側の間隔にバラツキがある限り適正な入賞率に容易に調整することはできないという問題
【００１４】
　本発明は、このような従来の問題点に鑑み、進入部側の障害手段のバラツキ等に関係なく
遊技球の入賞率を適正に容易に調整できる弾球遊技機を提供することを目的とする
イ　「【００２２】
　図１〜図９は本発明をパチンコ機に採用した
第１の実施形態
…
【００２７】
　ガイドレール１８は外レール１８ａと内レール１８ｂとを有する。画像表示手段２０は遊技領域１９の左右方向の略中央の上部に配置され、特別図柄始動手段２２と
可変入賞手段２３は画像表示手段２０の下側に上下に配置されている
普通入賞ユニット２４は
可変入賞手段２３の左右両側に設けられている
…
【００３８】
　左右の普通入賞ユニット２４には、
遊技領域１９の中央側ほど低くなるように左右方向及び上下方向に位置を変えて２個又は３個
第１入賞口３８〜第３入賞口４０が設けられ
画像表示手段２０と普通入賞ユニット２４との間には
誘導釘列４１が普通入賞ユニット２４の入賞口３８〜４０の配列に沿って斜め下方向に設けられている
【００３９】
　
誘導釘列４１は上下方向に略平行に複数設けられており、その各誘導釘列４１は複数本の遊技釘を一列状に配置して構成された単位釘列４１ａを、途中の途切れ部４１ｂを介して複数組配列したものであ
単位釘列４１ａと途切れ部４１ｂとを経て遊技球を落下させながら、順次中央側へと誘導するように構成されて
ウ　「【００４２】
　
第１口部材４４
第１入賞口３８を有し
【００４３】
　
第２口部材４５は
第２入賞口３９
有し
エ　「【００５２】
　
補強手段６６，６７は
中空箱状の突出体６６ａ，６７ａを有
その突出体６６ａ，６７ａの一側が規制手段６４，６５の端部側に
形成されている
突出体６６ａ，６７ａは口部材４４，４５と同程度
の突出高さを有
【００５３】
　案内部６６ｂ，６７ｂは上下方向に平坦状に形成され、口部材４４，４５の側壁４４ｂ，４５ｂの内面と略面一状に設けられている。なお、案内部６６ｂ，６７ｂは口部材４４，４５の側壁４４ｂ，４５ｂの内面から入賞口３８，３９側に若干突出してもよいし、側壁４４ｂ，４５ｂの内面から若干離して設けてもよい。また案内部６６ｂ，６７ｂは突出又は凹入方向に湾曲状又は屈曲状でもよい。案内部６６ｂ，６７ｂは遊技球を入賞口３８，３９へと案内できるものであれば十分である。規制手段６４，６５及び
補強手段６６，６７の上端は最下部の誘導釘列４１の下側に近接し且つ誘導釘列４１の傾斜に沿って傾斜状になっている
…
【００５５】
　この
パチンコ機
遊技に際して、発射手段により遊技盤１７の遊技領域１９に遊技球を打ち込むと、その遊技球は遊技盤１７の前面に沿って遊技領域１９内を落下する
普通入賞ユニット２４の入賞口３８，３９，４０
入賞する
オ　「【００５９】
　画像表示手段２０と内レール１８ｂとの間を経て左側の普通入賞ユニット２４の案内台６８上に落下する遊技球があった場合、その
遊技球は例えば最下段の誘導釘列４１等に沿って遊技領域１９の中央側に案内されながら、
途切れ部４１ｂから落下して第１入賞口３８又は第２入賞口３９へと入賞する
カ　「【００７９】
　図２０〜図２２は本発明の
第７の実施形態
口部材４４
入賞口３８
前側壁４４ｃ
遊技釘６２ａ，６２ｂ間へと上向きに突出する規制手段６４が設けられている
他の構成は各実施形態と同様である
…
【００８２】
　規制手段６４，６５は入賞口３８，３９，４０、通過口７２等の球入口へと遊技球が進入し始める進入路の進入部６０，６１側の前後幅を規制できればよく、各実施形態に例示するように進入部６０，６１の後側又は前側の何れに規制手段６４，６５を配置してもよいし、
前後両側に規制手段６４，６５を配置してもよい
キ　「【図３】
」
ク　「【図２０】
」
ケ　「【図２１】
」
コ　「【図２２】
」
（２）　上記記載から、引用文献１には、次の技術事項が記載されているものと認められる。
ア　上記（１）の【００２７】の「可変入賞手段２３は画像表示手段２０の下側に上下に配置されている」、「普通入賞ユニット２４は」「可変入賞手段２３の左右両側に設けられている」との記載から、「普通入賞ユニット２４」は「画像表示手段２０の下側に」「設けられている」と認められる。さらに、上記（１）の【００３８】の「画像表示手段２０と普通入賞ユニット２４との間には」、「誘導釘列４１が」「設けられている」との記載から、「誘導釘列４１」は「普通入賞ユニット２４」の上側、つまり上流側に「設けられている」と認められる。
イ　上記（１）の【００５９】の「遊技球は例えば最下段の誘導釘列４１等に沿って遊技領域１９の中央側に案内されながら」、「途切れ部４１ｂから落下して第１入賞口３８又は第２入賞口３９へと入賞する」との記載から、「遊技球は」、「途切れ部４１ｂから落下して第１入賞口３８又は第２入賞口３９へと入賞するようになっており」、「単位釘列４１ａ」を構成する「障害釘」の間から落下するものではないことは明らかである。すなわち、「単位釘列４１ａ」を構成する「遊技釘」の間隔が、「遊技球」が「落下し」得ない間隔となっていることは明らかである。
ウ　上記（１）の【００７９】の「他の構成は各実施形態と同様である。」との記載から、「第７の実施の形態」は、「入賞口３８」だけでなく、「第１の実施形態」が有する「入賞口３９」や「入賞口４０」も有しており、また、「遊技球」を各「入賞口」まで導くための構成は、「第１の実施の形態」と同様であると認められる。
エ　上記（１）の【図３】には、「中空箱状の突出体６６ａ，６７ａを有」し、「その突出体６６ａ，６７ａの一側が規制手段６４，６５の端部側に」「一体に形成され」、前記「突出体６６ａ，６７ａ」が「口部材４４，４５と同程度の突出高さを有」する「補強手段６６，６７」であって、「上端」が「最下部の誘導釘列４１の下側に近接し且つ誘導釘列４１の傾斜に沿って傾斜状になっている」「補強手段６６，６７」（【００５２】、【００５３】）が、「遊技釘列４１」に近接した状態で記載されているから、当該「補強手段６６，６７」は、「遊技釘列４１」の頂部の下側を保護する機能を有していると認められる。
　ここで、上記「補強手段６６，６７」の「突出体６６ａ、６７ａ」が「一体に形成される」「規制手段６４，６５」は、【図３】に示されるように、「入賞口３８，３９」を有する「口部材４４，４５」（【００４２】、【００４３】）に対して設けられるものであるから、「補強手段６６，６７」は、「入賞口３８，３９」を有する「口部材４４，４５」に対して設けられていると認められる。
　したがって、引用文献１には、「口部材４４，４５と同程度の突出高さを有する中空箱状の突出体６６ａ，６７ａを有する補強手段６６，６７であって、上端が最下部の誘導釘列４１の下側に近接し且つ誘導釘列４１の傾斜に沿って傾斜状になっており、遊技釘列４１の頂部の下側を保護する補強手段６６，６７を、入賞口３８，３９を有する口部材４４，４５に対して設けること」（以下、「引用文献１記載の技術事項」という。）が記載されていると認められる。
オ　上記（１）の【図２０】の記載から、遊技釘６２ａと遊技釘６２ｂは、それらの中心軸を通る直線がほぼ水平となるように、つまり、略水平に配置されていると認められる。
　また、【図２０】の記載から、遊技釘６２ａと遊技釘６２ｂは、それぞれ、規制手段６４の左側と右側に位置するものと認められる。
　そして、【発明が解決しようとする課題】の欄の【００１３】の記載から、【図２０】の遊技釘６２ａと遊技釘６２ｂは、入賞口３８の命釘になっていると認められる。
カ　上記（１）の【図２１】及び【図２２】の記載から、前側壁４４ｃは、取り付け板４３に、遊技盤１７からの高さが遊技釘６２ａ，６２ｂの略頂部の高さとなるように設けられていると認められる。
キ　上記（１）の【図２０】及び【図２１】の記載から、前側壁４４ｃは、遊技釘６２ａ，６２ｂの頂部の下側に配置されるように設けられていると認められる。
ク　上記カ、キに記載のとおり、前側壁４４ｃは、遊技盤１７からの高さが遊技釘６２ａ，６２ｂの頂部の高さとなり、遊技釘６２ａ，６２ｂの頂部の下側に配置されるようになっているから、遊技釘６２ａ，６２ｂの頂部の下側を保護する機能を有していると認められる。
ケ　上記（１）の【図２０】の記載から、前側壁４４ｃは、遊技釘６２ａ，６２ｂとは離間させた状態で設けられていると認められる。
コ　上記（１）の記載事項、及び、上記（２）ア〜ウ、オ〜ケの認定事項を総合すると、引用文献１には、第７の実施形態を中心に、次の発明（以下、「引用発明」という。）が記載されていると認められる（記号ａ〜ｆは、本願発明の記号Ａ〜Ｆに対応させて付した。（　）内は引用文献１の対応箇所を示している。）。
「ａ　遊技に際して、発射手段により遊技盤１７の遊技領域１９に遊技球を打ち込むと、その遊技球は遊技盤１７の前面に沿って遊技領域１９内を落下するパチンコ機において（【００５５】、上記ウ）、
ｂ　前記遊技領域１９には、
ｂ１　　前記遊技領域１９内を落下する前記遊技球が入賞する普通入賞ユニット２４の入賞口３８〜４０と（【００５５】、上記ウ）、
ｂ２　　遊技領域１９の中央側ほど低くなるように左右方向及び上下方向に位置を変えて２個又は３個設けられた第１入賞口３８〜第３入賞口４０の配列に沿って斜め下方向に設けられ、普通入賞ユニット２４の上流側に設けられる誘導釘列と（【００３８】、上記ア、ウ）、
　　が設けられており、
ｃ　誘導釘列４１は上下方向に略平行に複数設けられており、その各誘導釘列４１は複数本の遊技釘を遊技球が落下し得ない間隔で一列状に配置して構成された単位釘列４１ａを、途中の途切れ部４１ｂを介して複数組配列したものであり、単位釘列４１ａと途切れ部４１ｂとを経て遊技球を落下させながら、順次中央側へと誘導するように構成されており（【００３９】、上記イ、ウ）、遊技球は例えば最下段の誘導釘列４１等に沿って遊技領域１９の中央側に案内されながら、途切れ部４１ｂから落下して第１入賞口３８又は第２入賞口３９へと入賞するようになっており（【００５９】、上記ウ）、
ｄ　取り付け板４３には、遊技盤１７からの高さが２本の略水平に配置された遊技釘６２ａ，６２ｂの略頂部の高さとなり（上記オ、カ）、前記遊技釘６２ａ，６２ｂの頂部の下側に配置され（上記キ）、前記遊技釘６２ａ，６２ｂの下側を保護するように（上記ク）、入賞口３８を有する口部材４４（【００４２】、上記ウ）の前側壁４４ｃが設けられており、
ｅ　前記前側壁４４ｃは、前記遊技釘６２ａ，６２ｂとは離間させた状態で設けられると共に（上記ケ）、前記遊技釘６２ａ，６２ｂ間へと上向きに突出する規制手段６４が設けられており（【００７９】）、前記遊技釘６２ａと前記遊技釘６２ｂは、それぞれ、前記規制手段６４の左側と右側に位置し、入賞口３８の命釘となっている（上記オ）、
ｆ　パチンコ機。」
２　引用文献２の記載
（１）　当審の平成３０年６月２６日付け拒絶理由において上記第３で示したとおり提示され、本願の出願前に頒布された刊行物である特開２０１２−２００７６号公報（以下「引用文献２」という。）には、図面とともに以下の事項が記載されている（下線は当審で付した。）。
ア　「【０００７】
　しかしながら、上述した特許文献１の従来技術は、命釘が係合部によって隠れることになるため、盤面の装飾の構成によっては美観を損ねるおそれがあるばかりか、
遊技球の入賞割合が低い場合には、遊技者は命釘が極端に狭められているのではないかといった不信感を抱くおそれがあった
【０００８】
　本発明は、上述した従来技術による問題点を解消するため、命釘に対する視認性を確保し、美観を損ねることなく、簡易な構成で、遊技の興趣の低下を抑止することができる
ぱちんこ遊技機
イ　「【００８２】
　次に、本発明の規制部材に相当する垂直規制部５３０について説明する。図５−２に示すように、一方の命釘（以下「第１釘５００ａ」という）の近傍であり且つ上方に設けられ、遊技球をゲート１０８またはゲート１０８を除く領域に導く寄せ釘５４０が設けられている。
垂直規制部５３０
ゲート１０８と一体化して設け
【００８３】
　また、垂直規制部５３０は、
命釘５００
が下方向へ傾倒することを規制する
【００８４】
　垂直規制部５３０は、命釘５００の側に配置される一方の上端側が下端側に比べて断面の領域が狭くなる形状となっており、流下する遊技球の妨げとならないようにしている。また、下端側が上端側よりも断面の領域が大きい形状であるため、垂直規制部５３０を高強度に保つことができるようになっている。垂直規制部５３０は、図示した形状他に限らず、一方の上端側が下端側に比べて断面の領域が狭くなるものであればよく、例えば、凸形状のものやや台形状のものであってもよい。
【００８５】
　命釘５００同士の間隔は、通常、内寸で１１．４ｍｍであるが、本実施の形態では、より安定してゲート１０８への通過を可能にするため、内寸で１２．２５ｍｍとしている。垂直規制部５３０は、金属製、木製、樹脂製など、いずれであってもよいが、命釘５００の傾倒を規制するという観点から、一定の強度のあるものとしている。
【００８６】
　さらに、図７−２に示すように、
垂直規制部５３０
命釘５００と所定量の間隙βをもって近接
（２）　上記（１）の記載事項から、引用文献２には、次の技術事項が記載されているものと認められる。
 「ぱちんこ遊技機において、命釘５００が下方へ傾倒することを規制するため、垂直規制部５３０をゲート１０８と一体化して設け、垂直規制部５３０を命釘５００と所定の間隙βをもって近接させること」（以下、「引用文献２記載の技術事項」という。）
第５　周知技術
１　引用文献３の記載
（１）　本願の出願前に電気通信回線を通じて公衆に利用可能となった特開２０１６−１８２５０１号公報（以下、「引用文献３」という。）には、以下の事項が記載されている（下線は当審で付した。）。
ア　「【００３０】
　図２に示すように、遊技領域Ｒ１のうち表示装飾枠２３の右下領域には、遊技領域Ｒ１の右側の側部領域を流下してきた遊技球を遊技球を第２始動入賞口１４Ｂに案内するための右下端ガイド部９５が設けられている。右下端ガイド部９５は、樹脂製のガイド板９３と、複数の
釘９０
イ　「【００３７】
　上記した第１及び第２の始動入賞口１４Ａ，１４Ｂ、
一般入賞口
２０Ｂ
遊技球
ウ　「【図２】
」
（２）　上記（１）の記載事項から、引用文献３には、次の技術事項が記載されているものと認められる。
　【００３０】から、【図２】において符号「９０」が付されている白丸で示される部材は釘であると認められる。そして、【図２】から、【００３７】に記載される一般入賞口２０Ｂの左上の３本の釘からなる釘列と、上方の３本の釘からなる釘列との間を遊技球が通過できるようになっていること、前記釘列の下側に一般入賞口２０Ｂが設けられていることが見て取れる。また、一般入賞口２０Ｂの一方の命釘は前記釘列を構成する釘であり、他方の命釘は前記釘列の下側に配置された釘であって、前記一方の命釘と略水平になるように配置された釘であると認められる。
２　引用文献４の記載
（１）　本願の出願前に頒布された刊行物である特開２０１３−２５５７２３号公報（以下、「引用文献４」という。）には、以下の事項が記載されている（下線は当審で付した。）。
ア　「【００６７】
　誘導釘６５は、大入賞口１６側に配設される複数本（本実施形態では６本）の障害釘６５ａで構成された第１誘導部６６と、遊技領域４の一側縁側（図１５中、右側縁側）に配設される複数本（本実施形態では１１本）の障害釘６５ａで構成された第２誘導部６７とを備え、
第１誘導部６６と第２誘導部６７との間には、遊技球が誘導釘６５の下方へ通過可能な誘導通過空間部６８を設けて構成されている
誘導通過空間部６８の下方（直下）には、入賞を発生させずに遊技球を遊技盤１の裏側へ回収するアウト穴として機能する入賞調整装置１９を備えている
【００６８】
　ところで、上記実施形態では、入賞調整装置１９をアウト穴として機能させたが、本発明はこれに限定されない。例えば、上記した入賞調整装置１９をアウト穴としてではなく、遊技球の進入により入賞を発生させる入賞口として機能させ、複数個の遊技球が入賞したことにより、賞球を払い出す払出条件が成立するように設定してもよい。また、賞球の払い出し単位は、１個でもよいし予め設定された複数個であってもよい。例えば、入賞調整装置１９への複数個の遊技球の入賞に対して、１個の賞球の払い出しを行ってもよいし、あるいは入賞調整装置１９への入賞数よりも少ない数の賞球を１組として払い出すようにしてもよい。」
イ　「【図１５】
」
（２）　上記（１）の記載事項から、引用文献４には、次の技術事項が記載されているものと認められる。
　【図１５】から、【００６７】に記載される第１誘導部６８と第２誘導部６７の直線状に配置された釘列の部分の間には、遊技球が通過し得る誘導通過空間部６８が設けられ、前記釘列の下側に入賞調整装置１９が設けられていることが見てとれる。また、入賞調整装置１９の一方の命釘は前記釘列を構成する釘であり、他方の命釘は前記釘列の下側に配置された釘であって、前記一方の命釘と略水平になるように配置された釘であると認められる。
３　引用文献５の記載
（１）　本願の出願前に頒布された刊行物である特開２００３−１９２６７号公報（以下、「引用文献５」という。）には、以下の事項が記載されている（下線は当審で付した。）。
ア　「【００１６】また、この実施の形態において、図１に示すように、減速用凸部７５は、役物本体５１の開口窓５５の下部外側の近傍位置と、その位置から下流側に所定距離だけ隔てた位置との各２箇所において、各傾斜通路７０の邪魔物としてそれぞれ存在している。以下、役物本体５１の開口窓５５の下部外側の近傍位置に形成された減速用凸部７５を第１の減速用凸部７６といい、その第１の減速用凸部７６から下流側に所定距離だけ隔てた位置に形成された減速用凸部７５を第２の減速用凸部７７という。また、この実施の形態において、図３に示すように、傾斜誘導部７１を構成している
誘導釘列７２
誘導釘列７２
誘導釘列７２
【００１７】この実施の形態に係る遊技機としてのパチンコ機は上述したように構成される。したがって、遊技の際、図示しない球発射装置から球発射通路１４に発射された
球Ｂ（パチンコ球）
一般入賞口３７
イ　「【図１】
」
（２）　上記（１）の記載から、引用文献５には、次の技術事項が記載されているものと認められる。
　【００１６】から、【図１】において符号「７２」が付されている白丸で示される部材は釘であると認められる。そして、【図１】から、【００１７】に記載される一般入賞口３７（左上のもの）の左上の８本の釘からなる釘列と、右上の６本の釘からなる釘列との間をパチンコ球が通過できるようになっていること、前記釘列の下側に一般入賞口３７が設けられていることが見て取れる。また、一般入賞口３７の一方の命釘は前記釘列を構成する釘であり、他方の命釘は前記釘列の下側に配置された釘であって、前記一方の命釘と略水平になるように配置された釘であると認められる。
４　引用文献６の記載
（１）　本願の出願前に頒布された刊行物である特開２００３−１１７１０９号公報（以下、「引用文献６」という。）には、以下の事項が記載されている（下線は当審で付した。）。
ア　「【００１１】上記
誘導釘群２１
球
普通図柄始動入賞装置６
イ　「【図１】
」
（２）　上記（１）の記載から、引用文献６には、次の技術事項が記載されているものと認められる。
　【００１１】から、【図１】において符号「２１」が付されている白丸で示される部材は釘であると認められる。そして、【図１】から、【００１１】に記載される普通図柄始動入賞装置６（右側のもの）の右上の列状に形成された釘群２１ｂと、左上の列状に形成された釘群２１ａとの間を球が通過できるようになっていること、前記釘列の下側に普通図柄始動入賞装置６が設けられていることが見て取れる。また、普通図柄始動入賞装置６の一方の命釘は前記釘列を構成する釘であり、他方の命釘は前記釘列の下側に配置された釘であって、前記一方の命釘と略水平になるように配置された釘であると認められる。
５　上記１〜４からみて、「遊技機において、遊技球が通過し得る隙間を有する釘列の下側に入球口を設け、該入球口の一方の命釘を前記釘列を構成する釘とし、他方の命釘を前記釘列の下側に配置された釘であって、前記一方の命釘と略水平に配置された釘とすること」（以下、「周知技術」という。）は周知技術であると認められる。
第６　対比
　本願発明と引用発明とを対比する（対比にあたっては、本願発明の構成Ａ〜Ｆと引用発明の構成ａ〜ｆについて、それぞれ（ａ）〜（ｆ）の見出しを付して行った。）。
（ａ）　引用発明において、「発射手段により遊技盤１７の遊技領域１９に遊技球を打ち込む」ことは、本願発明において、「遊技盤に形成された遊技領域に向けて遊技球を発射すること」に相当する。
　そして、引用発明では、「発射手段により遊技盤１７の遊技領域１９に遊技球を打ち込む」ことは、「遊技に際して」行われるから、「遊技」は、「発射手段により遊技盤１７の遊技領域１９に遊技球を打ち込む」ことによって行われるものと認められる。
　したがって、引用発明の「遊技に際して、発射手段により遊技盤１７の遊技領域１９に遊技球を打ち込む」「パチンコ機」は、本願発明の「遊技盤に形成された遊技領域に向けて遊技球を発射することによって、遊技を行う遊技機」に相当する。
（ｂ）　引用発明の「遊技領域１９」は、本願発明の「遊技領域」に相当する。
（ｂ１）　引用発明の「前記遊技領域１９内を落下する前記遊技球が入賞する普通入賞ユニット２４の入賞口３８〜４０」は、本願発明の「前記遊技領域を流下する前記遊技球が入球可能な複数の入球口」に相当する。
（ｂ２）　引用発明において、「誘導釘列４１」に「遊技球」が衝突すれば、進行方向が変更されることは自明であり、また、「普通入賞ユニット２４」は「入賞口３８〜４０」を有するから、引用発明の「遊技領域１９の中央側ほど低くなるように左右方向及び上下方向に位置を変えて２個又は３個設けられた第１入賞口３８〜第３入賞口４０の配列に沿って斜め下方向に設けられ、普通入賞ユニット２４の上流側に設けられる誘導釘列」を構成する複数の釘は、本願発明の「前記入球口の上流側に立設されて、前記遊技領域を流下する前記遊技球が衝突することによって、前記遊技球の進行方向を変更する複数の障害釘」に相当する。
（ｃ）　引用発明において、「上下方向に略平行に複数設けられており、その各誘導釘列４１は複数本の遊技釘を遊技球が落下し得ない間隔で一列状に配置して構成された単位釘列４１ａ」を設けることは、本願発明において、「前記遊技球が通過し得ない間隔で列状に立設されることによって障害釘列を複数形成する」ことに相当する。
　また、引用発明において、「単位釘列４１ａ」が「途切れ部４１ｂ」を「介して」設けられていることは、本願発明において、「少なくとも１つの前記障害釘列には、少なくとも一箇所に前記遊技球が通過し得る隙間が形成されて」いることに相当する。
（ｄ）　引用発明において、「遊技盤１７からの高さが２本の略水平に配置された遊技釘６２ａ，６２ｂの略頂部の高さとなり、前記遊技釘６２ａ，６２ｂの頂部の下側に配置され、前記遊技釘６２ａ，６２ｂの下側を保護するように、入賞口３８を有する口部材４４の前側壁４４ｃが設けられて」いることと、本願発明において、「前記遊技球が通過し得る隙間を有する前記障害釘列の下側には、前記遊技盤の盤面からの高さが前記障害釘の頂部の高さの位置に、前記障害釘列の下側を保護する前板が設けられて」いることとは、「前記障害釘の下側には、前記遊技盤の盤面からの高さが前記障害釘の頂部の高さの位置に、前記障害釘の下側を保護する前板が設けられて」いる点で共通する。
（ｅ）　引用発明において、「前記前側壁４４ｃは、前記遊技釘６２ａ，６２ｂとは離間させた状態で設けられる」ことと、本願発明において、「前記前板は、前記障害釘列の前記障害釘とは離間させた状態で設けられている」ことは、「前記前板は、前記障害釘とは離間させた状態で設けられている」点で共通する。
　引用発明において、「前記遊技釘６２ａ，６２ｂ間へと上向きに突出する規制手段６４が設けられて」いることと、本願発明において、「前記前板からは、前記障害釘列の前記隙間を形成する２本の前記障害釘の頂部の間の位置まで、突片が延設されている」ことは、「前記前板からは、２本の前記障害釘の頂部の間の位置まで、突片が延設されている」点で共通する。
（ｆ）引用発明の「パチンコ機」は、本願発明の「遊技機」に相当する。
　上記（ａ）〜（ｆ）の検討により、本願発明と引用発明とは、
［一致点］
「Ａ　遊技盤に形成された遊技領域に向けて遊技球を発射することによって、遊技を行う遊技機において、
Ｂ　前記遊技領域には、
Ｂ１　　前記遊技領域を流下する前記遊技球が入球可能な複数の入球口と、
Ｂ２　　前記入球口の上流側に立設されて、前記遊技領域を流下する前記遊技球が衝突することによって、前記遊技球の進行方向を変更する複数の障害釘と
　　が設けられており、
Ｃ　前記複数の障害釘の一部は、前記遊技球が通過し得ない間隔で列状に立設されることによって障害釘列を複数形成すると共に、少なくとも１つの前記障害釘列には、少なくとも一箇所に前記遊技球が通過し得る隙間が形成されており、
Ｄ’　前記障害釘の下側には、前記遊技盤の盤面からの高さが前記障害釘の頂部の高さの位置に、前記障害釘の下側を保護する前板が設けられており、
Ｅ’　前記前板は、前記障害釘とは離間させた状態で設けられていると共に、前記前板からは、２本の前記障害釘の頂部の間の位置まで、突片が延設されている
Ｆ　遊技機。」
である点で一致し、次の点で相違する。
［相違点］（構成Ｄ、Ｅ）
　本願発明では、
　「前板」は、「前記障害釘列の下側を保護」し、「前記障害釘列の下側」に「設けられ」るものであり、
　「突片」は、「前記障害釘列の前記隙間を形成する２本の前記障害釘」「の間の位置まで」「延設され」るものであるのに対して、
　引用発明では、
　「前側壁４４ｃ」（本願発明の「前板」に相当）は、「遊技釘６２ａ，６２ｂの下側を保護」し、「遊技釘６２ａ，６２ｂの」「下側に配置される」ものであり、
　「規制手段６４」（本願発明の「突片」に相当）は、「遊技釘６２ａ，６２ｂ間へと上向きに突出する」ものであるものの、
　「２本の略水平に配置された遊技釘６２ａ，６２ｂ」が「誘導釘列４１」（本願発明の「障害釘列」に相当）の「途切れ部４１ｂ」（本願発明の「隙間」に相当）を形成しているか否か、また、「誘導釘列４１」を「保護」しているのか否か不明であり、本願発明の上記構成を有するとはいえない点。
第７　当審における判断
１　相違点について
　引用文献１には、「第４ １（２）エ」に記載のとおり、「口部材４４，４５と同程度の突出高さを有する中空箱状の突出体６６ａ，６７ａを有する補強手段６６，６７であって、上端が最下部の誘導釘列４１の下側に近接し且つ誘導釘列４１の傾斜に沿って傾斜状になっており、遊技釘列４１の頂部の下側を保護する補強手段６６，６７を、入賞口３８，３９を有する口部材４４，４５に対して設けること」（引用文献１記載の技術事項）が記載されている。
　そして、上記「第５ ５」に記載のとおり、「遊技機において、遊技球が通過し得る隙間を有する釘列の下側に入球口を設け、該入球口の一方の命釘を前記釘列を構成する釘とし、他方の命釘を前記釘列の下側に配置された釘であって、前記一方の命釘と略水平に配置された釘とすること」（周知技術）は、本願出願前に周知の技術事項である。
　ここで、引用発明と上記周知技術とは、いずれも遊技釘に関する技術である点で共通するものである。
　また、「第４　２（２）」に記載された引用文献２記載の技術事項のように、釘の下側に部材を設けることは、本願出願前に普通に行われていることである。
　したがって、引用発明に上記周知技術を適用し、命釘となる「２本の水平に配置された遊技釘６２ａ、６２ｂ」のうち「規制手段６４」の右側にある「遊技釘６２ｂ」を、「途切れ部４１ｂ」の右側（下流側）の「誘導釘列４１」を構成する障害釘のうちの最も上流に配置されている障害釘とし、「規制手段６４」の左側にある「遊技釘６２ａ」を、「途切れ部４１ｂ」の左側（上流側）の「誘導釘列４１」の直線状の釘列の部分のうちの最も下流に配置された釘の略鉛直方向下側であって、上記「遊技釘６２ｂ」と略水平に配置された釘とすることで、これらの「遊技釘６２ａ」と「遊技釘６２ｂ」とを含む釘列（本願発明の「隙間を有する」「障害釘列」に相当）の下側に、これらの「遊技釘６２ａ」と「遊技釘６２ｂ」を命釘とする「入賞口３８」を設けるようにし、その際、上記引用文献１記載の技術事項に倣って、上記「規制手段６４」を補強する（もしくは、引用文献１の【００８２】に記載されるように、「後」「側」にさらに設けた「規制手段６４」を補強する）「補強手段６６」を、引用発明における「入賞口３８を有する口部材４４」の「規制手段６４」の右側に設けることで、「遊技釘列４１」の下側を保護するようにすることにより、上記相違点に係る本願発明の構成とすることは、当業者が容易に想到し得たことである。
２　請求人の主張について
　請求人は、平成３０年８月３０日付け意見書において、
「（３）これに対して、補正後の本願の遊技機では、障害釘列の少なくとも一箇所に、遊技球が通過し得る隙間を設け、その障害釘列の下側には、遊技盤の盤面からの高さが障害釘の頂部の高さとなる位置に、前板を設けることによって、障害釘列の下側を保護しています。そして、その前板から、障害釘列の隙間を形成する２本の障害釘の頂部の間の位置まで、突片を延設することによって、それらの２本の障害釘の頂部を保護することとしています。
　こうすれば、遊技球が通過可能な隙間を形成する２本の障害釘の下側と、それら２本の障害釘の内側（突片が存在する側）とを保護するだけでなく、それら２本の障害釘の外側も、遊技球が通過し得ない間隔で立設された障害釘によって保護されています。このため、隙間を形成する２本の障害釘が外側から強い力で押されて、隙間が狭くなってしまうことがありません。その結果、「長期に亘って遊技機が使用された場合でも、遊技球の入球のし易さが変わらないようにする」ことが可能となります。その一方で、「障害釘列に遊技球が衝突する様子を、遊技者が十分に楽しめるようにする」ことも可能となります。
（４）こうした点については、引用文献１〜引用文献５の何れにも、記載はおろか、示唆する内容もありません。従って、如何に当業者と言えども、補正後の本願の請求項１の遊技機を、引用文献１〜引用文献５に基づいて容易に成し得たとは言えません。」と主張する。
　しかしながら、本願発明の構成は、「１　相違点について」において検討したとおり、引用発明、引用文献１、２記載の技術事項及び周知技術により当業者が容易に想到し得たものである。そして、請求人が主張する効果も、当業者が予測し得たことにすぎない。
３　小括
　本願発明により奏される効果は、引用発明、引用文献１、２記載の技術事項及び周知技術から当業者が予測できる範囲内のものであり、格別顕著なものとは言えない。
　そうすると、上記「１　相違点について」において検討したとおり、本願発明は、引用発明、引用文献１、２記載の技術事項及び周知技術に基いて当業者が容易に発明をすることができたものであるから、特許法第２９条第２項の規定により、特許を受けることができないものである。
第８　むすび 
　以上のとおりであるから、本願発明は、特許法第２９条第２項の規定により特許を受けることができない。
　したがって、その余の請求項について検討するまでもなく、本願は拒絶すべきものである。
　よって、結論のとおり審決する。